(57)【要約】【課題】  操作部を小さくでき、開閉操作性及び意匠性の向上が図れる開口部装置を提供する。【解決手段】  上枠２ａ、下枠２ｂ及び左右の縦枠２ｃ，２ｄからなる枠２と、該枠２内にスライド開閉自在に設けられた障子３，４と、該障子３，４の戸先部５ｄ，６ｄに設けられ、障子３，４を全閉位置から開け始める時に開け始めの力を軽減するアシスト機構１５とを備えた開口部装置１であって、前記アシスト機構１５は、前記戸先部５ｄ，６ｄの内部から縦枠３，４側に突出可能に設けられ縦枠３，４を押す反動で障子３，４を開方向へ動かす押圧部材１６と、前記戸先部５ｄ、６ｄに上下方向にスライド可能に設けられた操作部１８と、該操作部１８の上下方向の動きを方向変換して前記押圧部材１６に伝える方向変換部１７とを有している。【選択図】          図４
2006152629.tif 000002
【特許請求の範囲】
【請求項１】
上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有していることを特徴とする開口部装置。
【請求項２】
上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有し、前記操作部又は操作部を収納する部材の室内側部分は前記操作部を外障子に取付けた場合に内障子の室外側部分とは干渉しない位置に設けられていることを特徴とする開口部装置。
【発明の詳細な説明】
【技術分野】
【０００１】
本発明は、開口部装置に係り、特に障子の開け始め時の力を軽減するアシスト機構を備えた開口部装置に関する。
【背景技術】
【０００２】
開口部装置であるスライディングサッシにおいては、障子の開け始めに、風圧ないし室内外の気圧差によって枠の気密材と障子の間に大きな摩擦抵抗が発生し、障子を開けるのに非常に大きな力を必要となるが、障子が少し開き、縦枠の気密材から障子が離れると、その後は障子を楽に動かすことができる。この障子の開け始めの操作を楽にする目的で、テコの原理を利用したアシスト把手というものが提案されている（例えば特開２００３−１３６３４号公報参照）。このアシスト把手は、障子の戸先框（戸先部）に障子の面と略平行な面内で上下方向に回動可能に軸支されたレバー部材を有し、このレバー部材の一端を手で握って回動することにより、レバー部材の他端で縦枠を押す反動で障子を開けるようになっている。
【０００３】
【特許文献１】特開２００３−１３６３４号公報
【発明の開示】
【発明が解決しようとする課題】
【０００４】
しかしながら、前記サッシにおいては、アシスト把手の操作を手で握って回動操作する構造であるため、操作部が戸先框より室内側に突出しており、引違い窓の外障子にアシスト把手を取付けた場合、操作部と内障子が干渉して障子を引違いさせることができず、開閉操作性が悪くなるという問題がある。また、操作部が大きくて意匠性が悪いという問題もある。
【０００５】
本発明は、上記事情を考慮してなされたものであり、操作部を小さくでき、開閉操作性及び意匠性の向上が図れる開口部装置を提供することを目的とする。
【課題を解決するための手段】
【０００６】
本発明のうち、請求項１に係る発明は、上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有していることを特徴とする。
【０００７】
請求項２に係る発明は、上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有し、前記操作部又は操作部を収納する部材の室内側部分は前記操作部を外障子に取付けた場合に内障子の室外側部分とは干渉しない位置に設けられていることを特徴とする。
【発明の効果】
【０００８】
請求項１に係る発明によれば、上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有しているため、操作部を小さくでき、開閉操作性及び意匠性の向上が図れる。
【０００９】
請求項２に係る発明によれば、上枠、下枠及び左右の縦枠からなる枠と、該枠内にスライド開閉自在に設けられた障子と、該障子の戸先部に設けられ、障子を全閉位置から開け始める時に開け始めの力を軽減するアシスト機構とを備えた開口部装置であって、前記アシスト機構は、前記戸先部の内部から縦枠側に突出可能に設けられ縦枠を押す反動で障子を開方向へ動かす押圧部材と、前記戸先部に上下方向にスライド可能に設けられた操作部と、該操作部の上下方向の動きを方向変換して前記押圧部材に伝える方向変換部とを有し、前記操作部又は操作部を収納する部材の室内側部分は前記操作部を外障子に取付けた場合に内障子の室外側部分とは干渉しない位置に設けられているため、開閉操作性及び意匠性の向上が図れる。
【発明を実施するための最良の形態】
【００１０】
以下に、本発明を実施するための最良の形態について、添付図面を基に詳述する。図１は本発明の実施の形態であるサッシを示す室内側正面図、図２は同サッシの拡大横断面図、図３は同サッシの拡大縦断面図である。
【００１１】
これらの図において、１は開口部装置であるサッシで、このサッシ１は、上枠２ａ、下枠２ｂ及び左右の縦枠２ｃ，２ｄからなる枠２と、この枠２内にスライド開閉自在に設けられた内外の障子３，４と、障子３，４の戸先部に設けられ、障子３，４を全閉位置から開け始める時に開け始めの力を軽減するアシスト機構１５とを備えている。内外の障子３，４は上框５ａ，６ａ、下框５ｂ，６ｂ及び左右の縦框５ｃ，５ｄ，６ｃ，６ｄからなる框５，６内にガラスパネル７を装着してなる。なお、図示例の障子３，４は、框５，６の高さ方向中間部に中間框５ｅ，６ｅが取付けられているが、これに限定されない。枠材及び框材は、例えば金属製の形材（アルミニウム合金の押出形材）からなっている。
【００１２】
上枠２ａと下枠２ｂの対向部には障子をスライド自在に支持する上部レール８ａ，８ｂと下部レール９ａ，９ｂが設けられている。障子３，４の召合せ部（召合せ框ともいう）において、内障子３の召合せ框（縦框）５ｃには障子３，４を閉鎖状態に固定ないしロックするためのクレセント錠１０が設けられ、外障子４の召合せ框（縦框）６ｃにはクレセント錠１０が係合されて施錠状態となるクレセント受け１１が設けられている。
【００１３】
縦枠５ｃ，６ｃの内面には障子３，４の閉鎖時に戸先部である戸先框（縦框）５ｄ，６ｄの先端側と重なり合うリブ１２ａ，１２ｂが設けられ、このリブ１２ａ，１２ｂには戸先框５ｄ，６ｄとの間を封止する気密材１３が設けられている。リブ１２ａ，１２ｂは室外側から障子３，４を介して加わる風圧を受け止めるように各障子３，４の戸先框５ｄ，６ｄの先端部の室内側に位置されて配置されている。また、戸先框５ｄ，６ｄは内部に長手方向（上下方向）に沿って中空部１４を有するホロー構造（中空構造）とされている。  図４はアシスト機構を示す図で、（ａ）は正面図、（ｂ）は左側面図、図５は同アシスト機構の本体部と操作部の分解斜視図、図６は同アシスト機構の本体部の分解斜視図である。外障子側のアシスト機構と内障子側のアシスト機構は左右勝手が違うだけで構造が同じであるため、外障子側のアシスト機構のみについて説明する。このアシスト機構１５は、図２、図４ないし図１３にも示すように、戸先框５ｄの内部である中空部１４から縦枠２ｃ側に突出可能に設けられ縦枠２ｃを押す反動で障子４を開方向へ動かす押圧部材である蹴り出し部材１６と、前記戸先部５ｄに上下方向にスライド可能に設けられた操作部１８と、該操作部１８の上下方向の動きを方向変換して前記押圧部材に伝える方向変換部である傾斜溝（傾斜部）１７とを有している。
【００１４】
また、図示例のサッシ１においては、障子４の戸先框６ｄにアシスト機構の他に該戸先框６ｄを縦枠２ｃに対して施解錠する戸先錠１９を備えている。この場合、アシスト機構１５と戸先錠１９とは一つのユニットＵとして組み立てられることが好ましい。このユニットＵは障子開け始めアシスト機能付き戸先錠もしくは戸先錠付き障子開け始めアシスト機構と称することができる。前記操作部１８は戸先錠１９の操作部とアシスト機構１５の操作部とを兼用しており、操作部１８の開操作（下方へのスライド操作）に連動して戸先錠１９が解錠される（換言すれば操作部１８の開操作によりアシスト機構１５の開動作と戸先錠１９の解錠動作が連動する）ように構成されている。
【００１５】
前記ユニットＵは、図６にも示すように戸先錠１９の鎌部（掛止部）１９ａとアシスト機構１５の蹴り出し部材１６とを上下に配置してそれぞれ支軸２０，２１にて垂直回動自在（揺動自在）に軸支した横断面略コ字状のケース部２２と、このケース部２２内に上下方向にスライド自在に支持された縦長板状のスライダー２３とから主に構成されている。戸先框６ｄの端面２４にはケース部２２を戸先框６ｄの中空部１４内に挿入して取付けるための取付穴（図示省略）が形成され、ケース部２２には戸先框６ｄの端面２４にネジ止めするための取付片部２２ａが上下に形成されている。
【００１６】
前記操作部１８又は操作部１８を収納する部材（図示例では引手部２５）の室内側部分は前記操作部１８を外障子４に取付けた場合に内障子３の室外側部分とは干渉しない位置に設けられている。好ましくは、操作部１８は戸先框６ｄの室内面から突出していないか又は突出していたとしても内障子３の室外側部分と干渉しない程度にしか突出していない（従来のアシスト把手のように大きく突出してない）。ここで、内障子３の室外側部分とは、例えば召合せ框５ｃの室外側部分、煙返しの室外面、クレセント台座やその取付部の室外側部分をいう。戸先框６ｄの室内面には引手部（室内側引手部ともいう）２５が設けられ、この引手部２５に操作部１８が収納されている。この場合、引手部２５にはこれを前記操作部１８が閉操作位置（戸先錠の施錠状態）のときに塞ぎ、且つ開操作位置（戸先錠の解錠状態）のときに開放するようにスライド可能に設けられている。戸先框６ｄの室内面と室外面とには室内側引手部２５と室外側引手部２６とを取付けるための取付穴（図示省略）が設けられている。
【００１７】
前記引手部２５は、図１０にも示すように室内側正面部と下部が開口（２５ａ，２５ｂ）された縦長箱状をなし、室内側周縁部にフランジ２５ｃが形成されている。操作部１８は縦長板状をなし、前記引手部２５の内部に下部の開口２５ｂからスライド可能に挿入されている。操作部１８の上端部の室内面には人差指を入れて操作部１８を上げ下げするための凹部からなる指掛け部１８ａが形成されている。引手部２５からの操作部１８の脱落を防止するために、操作部１８の一側部には上下方向に長尺のスロット穴１８ｂが形成され、引手部２５の一側部にはスロット穴１８ｂにスライド自在に係合するピン２７が嵌入されている。また、操作部１８を施錠位置である上方位置と、解錠位置である下方位置とに位置決め係止するために、引手部２５の他側部内面にはばね性を有する係止片部２５ｄが形成され、操作部１８の他側部には係止片部２５ｄが係合する係合凹部２８ａ，２８ｂが形成されている（図１１参照）。
【００１８】
操作部１８の下端部の裏面にはスライダー２３の上端部が固着具例えばビス２９で接続されている。室内側引手部２５の下端部には戸先框６ｄの室内面の取付穴の下縁に係合する係合溝２５ｅが形成されていることが好ましい。室内側引手部２５と室外側引手部２６とは、図２ないし図４（ｂ）に示すように背中合わせで配置され、室内側から捩じ込んだビス３０により互いに結合されている。ビス３０を室内側から捩じ込むことにより外部から室外側引手部２６が取外されて戸先錠１９が不正に開錠されるのを防止し、防犯性の向上を図っている。
【００１９】
蹴り出し部材１６は、図８にも示すように略三角形（好ましくは略直角三角形）の板材からなり、その一端に支軸２３を通す軸孔１６ａが設けられ、他端の一側面に蹴り出し部材１６を回動操作するためのフランジ１６ｂ付きの操作軸部１６ｃが突設され、他端の他側面にはこの蹴り出し部材１６を蹴り出し方向に付勢するための付勢手段であるねじりバネ３１の一端を係止する係止部１６ｄが突設されている。蹴り出し部材１６は、ケース部２２内に収まった状態から略直角の角部（曲面加工付）からなる押圧部１６ｅが軸孔１６ａを支点に回動して戸先框６ｄの端面２４から突出して縦枠２ｃを蹴る（押す）ようになっている。前記ねじりバネ３１は支軸２１に支持され、他端がケース部２２内に係止されている。
【００２０】
戸先錠１９の鎌部１９ａは、図９にも示すように支軸２０を通す軸孔１９ｂが設けられ、他端の一側面には鎌部１９ａを回動操作するための操作軸部１９ｃが突設されている。縦枠２ｃの内面には、図２、図１２ないし図１３にも示すように戸先錠１９の鎌部１９ａが回動しつつ掛止孔３２ａから挿入されて掛止（施錠）される受け部３２ｂと、蹴り出し部材１６が押し当てられる受け部３２ｃとを上下に有する受け部材３２がネジ止めにより取付けられている。なお、受け部材３２は必ずしも必要とされるものではなく、縦枠２ｃに形成した係止孔に戸先錠の鎌部を挿入掛止したり、或いは蹴り出し部材が縦枠を直接蹴るようになっていても良い。
【００２１】
前記スライダー２３には、図１３ないし図１４にも示すように、該スライダー２３の上方から下方へのスライド移動又は下方から上方へのスライド移動により戸先錠１９の鎌部１９ａを解錠させたり、施錠させたりするために鎌部１９ａの操作軸部１９ｃを係合させて案内するためのガイド溝３３が設けられている。このガイド溝３３は、鎌部１９ａを斜め上方に４５度傾斜させた中間位置に保持する垂直の中間部３３ａと、この中間位置から鎌部１９ａを時計方向に４５度回動させて解錠位置にする上部傾斜部３３ｂと、中間位置から鎌部１９ａを反時計方向に４５度回動させて施錠位置にする下部傾斜部３３ｃとを有している。蹴り出し部材１６が縦枠２ｃを蹴る前に鎌部１９ａが受け部３２ｂから外れていることが重要であり、下部傾斜部３３ｃを溝部３３ａの下端に近いところに設けることによって鎌部１９ａを操作の早い段階で４５度回転させて鎌部１９ａの先端を受け部３２ｂから外れるようにしてある。また、下部傾斜部３３ｃの下端を垂直方向に若干長く形成することにより戸先錠１９の鎌部１９ａを回動しにくく（こじ開けにくく）し、防犯性の向上を図っている。
【００２２】
また、スライダー２３にはこれを上方から下方にスライド移動することで前記蹴り出し部材１６を縦枠２ｃ側に押し出すために操作軸部１６ｃを案内する傾斜溝（傾斜部）１７が設けられている。ところで、障子４を開けた状態で操作部１８により戸先錠１９を施錠すると鎌部１９ａが戸先框６ｄの端面より突出した空掛け状態となり、この状態で障子４を閉めると鎌部１９ａが受け部材３２（又は縦枠２ｃ）に衝突して損傷する恐れがある。この問題を解消するために、障子４を閉めたときにのみ、すなわち蹴り出し部材１６が蹴り出し位置から押し込まれたときにのみ操作部１８による戸先錠１９の施錠操作が可能となるように構成されている。蹴り出し部材１６は、障子４の閉鎖により押し込まれたときにのみ操作部１８による施錠操作が可能となるトリガーとされている。
【００２３】
蹴り出し部材１６が突出している時にはスライダー２３を下方から上方に動かすことができず、蹴り出し部材１６が押し込まれた時にスライダー２３を下方から上方に動かすことができるようにするために、前記傾斜溝１７は戻り通路３４を有する一方通行のロータリー溝として形成されている。戻り通路３４は、傾斜溝１７の上端部（終端部）から蹴り出し部材１６の押し込み方向に操作軸部１６ｃを案内する略水平ないし支軸２１を支点に円弧状の第１案内溝３４ａと、この第１案内溝３４ａの終端部と前記傾斜溝１７の下端部（始端部）とを結ぶ略垂直の第２案内溝３４ｂとからなっている。ロータリー溝は傾斜溝１７を斜辺とする略直角三角形状に形成されている。
【００２４】
また、蹴り出し部材１６の操作軸部１６ｃの移動を一方通行に規制するために、上端部を除く傾斜溝１７と、第１案内溝３４ａの始端部から第２案内溝３４ｂの略中間部までが深い溝とされ、第２案内溝３４ｂの略中間部から下端部（終端部）までが浅い溝とされ、第２案内溝３４ｂの略中間部には深い溝と浅い溝を結ぶ傾斜面３５が形成され、傾斜溝１７の終端部には第１案内溝３４ａの始端部に向って上り傾斜となった傾斜面３６が形成されている。傾斜溝１７の終端部の傾斜面３６の終端は絶壁となっており、傾斜溝１７から第１案内溝３４ａに移動した操作軸部１６ｃが傾斜溝１７に戻らないようになっている。
【００２５】
蹴り出し部材１６は、操作軸部１６ｃが傾斜溝１７及び戻り通路３４の底面に接するように前記ねじりバネ３１によって付勢されている。また、傾斜溝１７の内側及び第１案内溝３４ａの内側には、蹴り出し部材１６に力が加わった時に操作軸部１６ｃが傾斜溝１７や第１案内溝３４ａから脱落するのを防止するために、操作軸部１６ｃのフランジ１６ｂが係合するフランジ３７，３８が設けられていることが好ましい。
【００２６】
以上の構成において、図１３（ａ）に示すように障子４（又は３、以下同様）が閉鎖されて戸先錠１９が施錠されている状態では、スライダー２３が上方位置にあり、これにより蹴り出し部材１６の操作軸部１６ｃが図１５（ａ）に示すように傾斜溝１７の最下端に位置されて蹴り出し部材１６が収納位置にある。また、操作部１８は引手部２５内の上方位置にあって、引手部２５内を塞いでおり、これにより戸先錠１９が施錠状態にあることを一目で容易に確認することができる。また、この状態では引手部２５に手を掛けることができないため、間違って障子４を開けようとすることも防止できる。
【００２７】
次に、障子３又は４を開ける場合には、操作部１８の指掛け部１８ａに指を掛けて操作部１８を開操作（上方位置から下方位置にスライド操作）すると、スライダー２３が下方に移動することにより戸先錠１９の鎌部１９ａがガイド溝３３及び操作軸部１９ｃを介して解錠方向に回動されると共に、蹴り出し部材１６が傾斜溝１７と操作軸部１６ｃを介して縦枠２ｃ（又は２ｄ）側に押し出される〔図１３（ｂ）、図１４（ａ）参照〕。これにより戸先錠１９が解錠されると共に、蹴り出し部材１６が縦枠２ｃの受け部３２ｃを蹴り出す反動で障子４を戸先框６ｄが縦枠２ｃの気密材１３から離れる位置まで軽い力で容易に開移動させることができる。すなわち、一つの操作部１８の開操作で戸先錠１９の解錠動作とアシスト機構１５の開動作を同時に行うことができ、使い勝手に優れ、操作性が向上する。
【００２８】
また、アシスト機構１５においては、スライダー２３を４ｃｍ程度縦方向（上下方向）に移動させて傾斜溝（傾斜部）１７による楔作用により蹴り出し部材１６を横方向に８ｍｍ程度押し出すようになってので、約５倍の力を出すことができる。しかも、蹴り出し部材１６は、支軸（支点）２１から操作軸部（力点）１６ｃまでと押圧部（作用点）１６ｅまでの長さの比による梃子の原理により更に押圧力を増大することができ、換言すれば操作部１８の操作力を更に軽減することができ、操作部１８の小型化が図れる。
【００２９】
操作部１８は戸先框６ｄの室内面と平行に上下にスライド操作される構造であり、操作部１８又は操作部１８を収納する部材（図示例では引手部２５）の室内側部分は前記操作部１８を外障子４に取付けた場合に内障子３の室外側部分とは干渉しない位置に設けられている（好ましくは、操作部１８は戸先框６ｄの室内面から突出していないか又は突出していたとしても内障子３の室外側部分と干渉しない程度にしか突出していない）ため、従来のアシスト把手と異なり、外障子４の戸先框６ｄに設けた操作部１８と内障子３とが干渉することがなく、内外の障子３，４を引き違わせることができると共に、意匠性の向上が図れる。また、操作部１８を上方の閉位置から下方の開位置に移動すると、今まで塞がれていた引手部２５の正面の開口２５ａが開放されるので、この開口２５ａに手を掛けて障子４を容易に開けることができる〔図１３（ｃ）参照〕。
【００３０】
このように障子４を開けた状態では、前記蹴り出し部材１６はねじりバネ３１により蹴り出し位置に突出した状態に保持されている。蹴り出し部材１６は、スライダー２３が上方位置から下方位置に移動することにより、操作軸部１６ｃが傾斜溝１７の下端部（始端部）から上端部（終端部）に移動し〔図１５（ａ）〜（ｂ）参照〕、その移動により支軸２１を支点に蹴り出し方向に回動される。そして、操作軸部１６ｃが傾斜溝１７の終端部の傾斜面３６を乗越えて第１案内溝３４ａの始端部に至ると、操作軸部１６ｃが第１案内溝３４ａ内を移動可能となることから蹴り出し部材１６が自重によって蹴り出し方向とは反対側に戻ろうとするが、ねじりバネ３１の付勢力によってそれが防止され、蹴り出し部材１６は蹴り出し状態のままに保持される〔図１５（ｃ）参照〕。
【００３１】
この状態において、戸先錠１９を施錠操作すべく操作部１８を下方位置から上方位置へ操作しようとすると、蹴り出し部材１６の操作軸部１６ｃが傾斜面３６を乗越えているため、第１案内溝３４ａの始端部から傾斜溝１７側に戻ることができず、いわばストッパーとして働き、これによりスライダー２３及び操作部１８を上方へ移動操作することができず、戸先錠１９の鎌部１９ａを施錠方向に回動することができないので、戸先錠１９の空掛けを防止することができ、空掛け状態で障子４を閉めたときに発生する戸先錠１９の鎌部１９ａの損傷を防止でき、耐久性の向上が図れる。
【００３２】
一方、障子４を閉めると、図１４（ａ）に示すように先ず蹴り出し部材１６が縦枠２ｃの受け部３２ｃに当接し、蹴り出し部材１６はねじりバネ３１の付勢力に抗して戸先框６ｄ内（ケース部２２内）に押し込まれて収納される〔図１４（ｂ）参照〕。このとき、蹴り出し部材１６の操作軸部１６ｃは図１５（ｃ）から図１５（ｄ）に示すように第１案内溝３４ａ内を始端部から終端部に向って移動し、第２案内溝３４ｂの始端部に位置され、これにより（トリガーとしての機能により）スライダー２３及び操作部１８を上方に移動させることが可能となる。すなわち、障子４を閉めたときにのみ操作部１８を閉操作（下方位置から上方位置にスライド操作）することができ、戸先錠１９を施錠することが可能となる。
【００３３】
従って、操作部１８を開操作すると、図１４（ｃ）ないし図１５（ｅ）に示すように蹴り出し部材１６の操作軸部１６ｃが第２案内溝３４ｂに沿って深い溝の始端部から途中の傾斜面３５を通って浅い溝の終端部に移動し、図１３（ａ）ないし図１５（ａ）に示すように更に第２案内溝３４ｂの終端部から最初の位置である深い溝の傾斜溝１７の始端部に移動して停止される。このとき、蹴り出し部材１６の操作軸部１６ｃが垂直の第２案内溝３４ｂに沿って移動するため蹴り出し部材１６は収納状態を保たれている。
【００３４】
また、スライダー２３の上昇移動により戸先錠１９の鎌部１９ａの操作軸部１９ｃがガイド溝３３に沿って移動することにより、鎌部１９ａが施錠方向に回動され、鎌部１９ａが縦枠２ｃの受け部３２ｂに掛止して施錠状態となる。次に戸先錠１９を開錠すべく操作部１８及びスライダー２３を下方に移動する場合、蹴り出し部材１６の操作軸部１６ｃが第２案内溝３４ｂの浅い溝の終端部から傾斜溝１７の深い溝の始端部に移動しているため、操作軸部１６ｃが第２案内溝３４ｂに逆戻りすることなく、傾斜溝１７に沿って移動することができる。
【００３５】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は、障子ないし戸のタイプが引違いタイプだけでなく、片引きタイプにも適用可能である。また、実施例ではアシスト機構と戸先錠が組み合わされているが、本発明に係る開口部装置は戸先錠を備えていなくても良い。また、本発明は、アシスト機構を設ける場所を障子の戸先部としているため、框組みされた障子だけでなく、フラッシュ構造の障子（戸体を含む）にも適用可能である。押圧部材としては、蹴り出し部材に限定されず、棒状のものを押し出す構造であっても良い。
【図面の簡単な説明】
【００３６】
【図１】本発明の実施の形態であるサッシを示す室内側正面図である。
【図２】同サッシの拡大横断面図である。
【図３】同サッシの拡大縦断面図である。
【図４】アシスト機構を示す図で、（ａ）は正面図、（ｂ）は左側面図である。
【図５】同アシスト機構の本体部と操作部の分解斜視図である。
【図６】同アシスト機構の本体部の分解斜視図である。
【図７】本体部のスライダーの斜視図である。
【図８】蹴り出し部材を示す図で、（ａ）は左側面図、（ｂ）は正面図である。
【図９】戸先錠の係止部を示す図で、（ａ）は左側面図、（ｂ）は正面図である。
【図１０】アシスト機構の操作部の分解斜視図である。
【図１１】同操作部の正面図である。
【図１２】受け部材の正面図である。
【図１３】アシスト機構の作用を説明する図で、（ａ）は戸先錠の施錠状態時の説明図、（ｂ）は操作部の開操作途中の説明図、（ｃ）は戸先錠の解錠状態時の説明図である。
【図１４】アシスト機構の作用を説明する図で、（ａ）は障子閉操作時の説明図、（ｂ）は蹴り出し部材が押し込まれたときの説明図、（ｃ）は戸先錠の施錠操作途中の説明図である。
【図１５】蹴り出し部材の動きを説明する説明図である。
【符号の説明】
【００３７】
１  サッシ（開口部装置）
２  枠
２ａ  上枠
２ｂ  下枠
２ｃ、２ｄ  縦枠
３、４  障子
５ｄ、６ｄ  戸先部
１５  アシスト機構
１６  蹴り出し部材（押圧部材）
１７  傾斜溝（方向変換部）
１８  操作部
２５  引手部（操作部を収納する部材）
【図１】
2006152629.tif 000003
【図２】
2006152629.tif 000004
【図３】
2006152629.tif 000005
【図４】
2006152629.tif 000006
【図５】
2006152629.tif 000007
【図６】
2006152629.tif 000008
【図７】
2006152629.tif 000009
【図８】
2006152629.tif 000010
【図９】
2006152629.tif 000011
【図１０】
2006152629.tif 000012
【図１１】
2006152629.tif 000013
【図１２】
2006152629.tif 000014
【図１３】
2006152629.tif 000015
【図１４】
2006152629.tif 000016
【図１５】
2006152629.tif 000017